(57)【要約】【課題】  原稿画像を低速で読み取ることによる消費電力低減効果と、原稿画像を高速で読み取ることによる読取完了待ち時間短縮効果とをバランスよく両立することが可能な画像読取装置を提供すること。【解決手段】  副走査駆動のためのモータを第１回転速度とその第１回転速度よりも速い第２回転速度とのいずれか設定された回転速度で駆動するモータ駆動手段と、読取対象原稿が前記セットされた原稿群のうちの第１枚目の原稿である場合には、モータ駆動手段に対してモータの回転速度として第１回転速度を設定した上で、読取対象原稿が前記セットされた原稿群のうちの第２枚目の以降の原稿である場合には、モータ駆動手段に対してモータの回転速度として第２回転速度を設定した上で、読取対象原稿についての画像読取を行う読取制御手段とを備えたことを特徴とする。【選択図】    図２
2006304033.tif 000002
【特許請求の範囲】
【請求項１】
セットされた原稿群から１枚ずつ原稿を分離搬送して順次読取対象原稿とし、前記読取対象原稿に対して相対的に副走査駆動される読取光学系を介してイメージセンサにより前記読取対象原稿を読み取って画像データを得る画像読取装置において、
前記副走査駆動のためのモータを第１回転速度とその第１回転速度よりも速い第２回転速度とのいずれか設定された回転速度で駆動するモータ駆動手段と、
前記読取対象原稿が前記セットされた原稿群のうちの第１枚目の原稿である場合には、前記モータ駆動手段に対して前記モータの回転速度として前記第１回転速度を設定した上で、前記読取対象原稿が前記セットされた原稿群のうちの第２枚目の以降の原稿である場合には、前記モータ駆動手段に対して前記モータの回転速度として前記第２回転速度を設定した上で、前記読取対象原稿についての画像読取を行う読取制御手段と
を備えたことを特徴とする画像読取装置。
【請求項２】
可変速読取モードまたは通常読取モードのいずれかに読取モードを設定する読取モード設定手段を備え、
前記読取制御手段は、前記読取モード設定手段により前記通常読取モードが設定されている場合は、前記モータ駆動手段に対して前記モータの回転速度として前記第１回転速度を設定した上で前記セットされた原稿群についての画像読み取りを行う一方、前記読取モード設定手段により前記可変速読取モードが設定されている場合であって、前記読取対象原稿が前記セットされた原稿群のうちの第１枚目の原稿であるときには、前記モータ駆動手段に対して前記モータの回転速度として前記第１回転速度を設定した上で、前記読取対象原稿が前記セットされた原稿群のうちの第２枚目の以降の原稿であるときには、前記モータ駆動手段に対して前記モータの回転速度として前記第２回転速度を設定した上で、前記読取対象原稿についての画像読取を行うことを特徴とする請求項１に記載の画像読取装置。
【請求項３】
セットされた原稿群から１枚ずつ原稿を分離搬送して順次読取対象原稿とし、前記読取対象原稿に対して相対的に副走査駆動される読取光学系を介してイメージセンサにより前記読取対象原稿を読み取って画像データを得る画像読取装置において、
セットされた原稿群を構成する原稿が１枚または複数枚のいずれであるかを検知する原稿枚数検知手段と、
前記副走査駆動のためのモータを第１回転速度とその第１回転速度よりも速い第２回転速度とのいずれか設定された回転速度で駆動するモータ駆動手段と、
読み取り開始に先立ち前記原稿枚数検知手段により検出された枚数が１枚の場合は、前記モータ駆動手段に対して前記モータの回転速度として前記第１回転速度を設定した上で、読み取り開始に先立ち前記原稿枚数検知手段により検出された枚数が複数枚の場合は、前記モータ駆動手段に対して前記モータの回転速度として前記第２回転速度を設定した上で、前記セットされた原稿群についての画像読取動作を開始する読取制御手段とを備えたことを特徴とする画像読取装置。
【請求項４】
可変速読取モードまたは通常読取モードのいずれかに読取モードを設定する読取モード設定手段を備え、
前記読取制御手段は、前記読取モード設定手段により前記通常読取モードが設定されている場合は、前記モータ駆動手段に対して前記モータの回転速度として前記第１回転速度を設定した上で前記セットされた原稿群についての画像読み取りを行う一方、前記読取モード設定手段により前記可変速読取モードが設定されている場合であって、読み取り開始に先立ち前記原稿枚数検知手段により検出された枚数が１枚のときは、前記モータ駆動手段に対して前記モータの回転速度として前記第１回転速度を設定した上で、読み取り開始に先立ち前記原稿枚数検知手段により検出された枚数が複数枚のときは、前記モータ駆動手段に対して前記モータの回転速度として前記第２回転速度を設定した上で、前記セットされた原稿群についての画像読取動作を開始することを特徴とする請求項３に記載の画像読取装置。
【請求項５】
前記読取制御手段は、前記モータ駆動手段に対して前記第１または第２回転速度のいずれかを設定する場合に、前記モータの励磁方式として、設定した回転速度に応じた励磁方式を設定する一方、
前記モータ駆動手段は、前記読取制御手段から設定さたれ回転速度及び励磁方式で前記モータを駆動することを特徴とする請求項１ないし４のいずれかに記載の画像読取装置。
【発明の詳細な説明】
【技術分野】
【０００１】
本発明は、スキャナ装置、ファクシミリ装置、複写機、複合機等に適用可能な画像読取装置に関する。
【背景技術】
【０００２】
従来の、スキャナ、複写機、ファクシミリ装置等に適用される画像読取装置においては、セットされた原稿群を１枚ずつ分離給送して読取対象原稿としてコンタクトガラス上に載置し、当該読取対象原稿の画像を当該ガラス下で副走査方向に駆動される読取光学系を介してイメージセンサに結像して電気信号に変換することで読み取る１ページ単位の読み取り動作を、セットされた原稿群の枚数分繰り返すことにより、１または複数枚のセットされた原稿群を読み取る。
【０００３】
その場合、前記セットされた原稿群の読み取り完了に要する時間は、前記読取光学系の副走査方向の駆動速度に依存するが、従来は、予め設定された固定の速度で副走査駆動されていたため、高速読取を優先すれば、副走査駆動のためのモータによる電力消費が増大する一方、当該モータによる電力消費の低減を優先すれば低速読取とする必要があった。
【０００４】
一方、本願発明に関連する公知技術としては、特許文献１を挙げることができる。
【特許文献１】特開2004-104888号公報
【発明の開示】
【発明が解決しようとする課題】
【０００５】
しかし、特許文献１は、ステッピングモータに通電する電流の目標値を、当該ステッピングモータの駆動使用量の積算値に基づいて変化させることで、ステッピングモータの特性に経時変化が生じても過不足のない励磁電流で駆動できるようにすることで、低消費電力化を図る技術であり、低速読み取り、つまり、副走査のためのモータの回転速度を低速にすることによる消費電力低減効果と、高速読み取り、つまり、副走査のためのモータの回転速度を高速にすることによる読取完了待ち時間短縮効果とをバランスよく両立した画像読み取りには対応できない。
【０００６】
本発明は係る事情に鑑みてなされたものであり、原稿画像を低速で読み取ることによる消費電力低減効果と、原稿画像を高速で読み取ることによる読取完了待ち時間短縮効果とをバランスよく両立することが可能な画像読取装置を提供することを目的とする。
【課題を解決するための手段】
【０００７】
請求項１に記載の画像読取装置は、セットされた原稿群から１枚ずつ原稿を分離搬送して順次読取対象原稿とし、前記読取対象原稿に対して相対的に副走査駆動される読取光学系を介してイメージセンサにより前記読取対象原稿を読み取って画像データを得る画像読取装置において、前記副走査駆動のためのモータを第１回転速度とその第１回転速度よりも速い第２回転速度とのいずれか設定された回転速度で駆動するモータ駆動手段と、前記読取対象原稿が前記セットされた原稿群のうちの第１枚目の原稿である場合には、前記モータ駆動手段に対して前記モータの回転速度として前記第１回転速度を設定した上で、前記読取対象原稿が前記セットされた原稿群のうちの第２枚目の以降の原稿である場合には、前記モータ駆動手段に対して前記モータの回転速度として前記第２回転速度を設定した上で、前記読取対象原稿についての画像読取を行う読取制御手段とを備えたことを特徴とする。
【０００８】
請求項２に記載の画像読取装置は、請求項１に記載の画像読取装置において、可変速読取モードまたは通常読取モードのいずれかに読取モードを設定する読取モード設定手段を備え、前記読取制御手段は、前記読取モード設定手段により前記通常読取モードが設定されている場合は、前記モータ駆動手段に対して前記モータの回転速度として前記第１回転速度を設定した上で前記セットされた原稿群についての画像読み取りを行う一方、前記読取モード設定手段により前記可変速読取モードが設定されている場合であって、前記読取対象原稿が前記セットされた原稿群のうちの第１枚目の原稿であるときには、前記モータ駆動手段に対して前記モータの回転速度として前記第１回転速度を設定した上で、前記読取対象原稿が前記セットされた原稿群のうちの第２枚目の以降の原稿であるときには、前記モータ駆動手段に対して前記モータの回転速度として前記第２回転速度を設定した上で、前記読取対象原稿についての画像読取を行うことを特徴とする。
【０００９】
請求項３に記載の画像読取装置は、セットされた原稿群から１枚ずつ原稿を分離搬送して順次読取対象原稿とし、前記読取対象原稿に対して相対的に副走査駆動される読取光学系を介してイメージセンサにより前記読取対象原稿を読み取って画像データを得る画像読取装置において、セットされた原稿群を構成する原稿が１枚または複数枚のいずれであるかを検知する原稿枚数検知手段と、前記副走査駆動のためのモータを第１回転速度とその第１回転速度よりも速い第２回転速度とのいずれか設定された回転速度で駆動するモータ駆動手段と、読み取り開始に先立ち前記原稿枚数検知手段により検出された枚数が１枚の場合は、前記モータ駆動手段に対して前記モータの回転速度として前記第１回転速度を設定した上で、読み取り開始に先立ち前記原稿枚数検知手段により検出された枚数が複数枚の場合は、前記モータ駆動手段に対して前記モータの回転速度として前記第２回転速度を設定した上で、前記セットされた原稿群についての画像読取動作を開始する読取制御手段とを備えたことを特徴とする。
【００１０】
請求項４に記載の画像読取装置は、請求項３に記載の画像読取装置において、可変速読取モードまたは通常読取モードのいずれかに読取モードを設定する読取モード設定手段を備え、前記読取制御手段は、前記読取モード設定手段により前記通常読取モードが設定されている場合は、前記モータ駆動手段に対して前記モータの回転速度として前記第１回転速度を設定した上で前記セットされた原稿群についての画像読み取りを行う一方、前記読取モード設定手段により前記可変速読取モードが設定されている場合であって、読み取り開始に先立ち前記原稿枚数検知手段により検出された枚数が１枚のときは、前記モータ駆動手段に対して前記モータの回転速度として前記第１回転速度を設定した上で、読み取り開始に先立ち前記原稿枚数検知手段により検出された枚数が複数枚のときは、前記モータ駆動手段に対して前記モータの回転速度として前記第２回転速度を設定した上で、前記セットされた原稿群についての画像読取動作を開始することを特徴とする。
【００１１】
請求項５に記載の画像読取装置は、請求項１ないし４のいずれかに記載の画像読取装置において、前記読取制御手段は、前記モータ駆動手段に対して前記第１または第２回転速度のいずれかを設定する場合に、前記モータの励磁方式として、設定した回転速度に応じた励磁方式を設定する一方、前記モータ駆動手段は、前記読取制御手段から設定さたれ回転速度及び励磁方式で前記モータを駆動することを特徴とする。
【発明の効果】
【００１２】
請求項１に係る発明によれば、セットされた原稿群のうちの第１枚目の原稿については比較的低速だかその分前記モータによる電力消費は少ない前記第１回転速度で前記読取光学系の副走査駆動のための前記モータを駆動するため、消費電力低減効果を得ることができる。その場合、第１枚目の原稿の読み取り速度は比較的遅くなるが、読み取り枚数が１枚と少ないためユーザに対して感じさせる待ち時間が大幅に増大することはなく、消費電力低減効果の利点のほうが大きい。また、セットされた原稿群のうちの第２枚目以降の原稿については、つまり、セットされた原稿群が複数枚の場合には、第１枚目の原稿は比較的低速で読み取られるものの、第２枚目以降は比較的高速（第２回転速度）で読み取られるため、前記セットされた原稿群の読み取りにおいて終始前記第１回転速度で読み取る場合と比較してユーザに対して感じさせる待ち時間を短縮できる。したがって、消費電力低減効果と読取完了待ち時間短縮効果とをバランスよく両立した画像読み取りが可能となる。
【００１３】
請求項２に係る発明によれば、前記通常読取モードと、請求項１に係る前記可変速読取モードとのいずれかユーザの所望するモードでの画像読み取りを行うことが可能となる効果が得られる。
【００１４】
請求項３に係る発明によれば、前記セットされた原稿群の読み取り開始に先立って、当該原稿群を構成する原稿が１枚または複数枚のいずれであるかを検知して、１枚の場合には、前記セットされた原稿群（１枚）の読み取りにおいて前記第１回転速度での読み取りを行い、複数枚の場合には、前記セットされた原稿群（複数枚）の読み取りにおいて最初の１枚目から前記第２回転速度での読み取りを行うため、請求項１に係る発明と比較して、前記セットされた原稿群が複数枚の場合に第１枚目から前記第２回転速度での読み取りを行える分、読取完了待ち時間短縮効果を高めることが可能となる効果が得られる。
【００１５】
請求項４に係る発明によれば、前記通常読取モードと、請求項３に係る前記可変速読取モードとのいずれかユーザの所望するモードでの画像読み取りを行うことが可能となる効果が得られる。
【００１６】
請求項５に係る発明によれば、前記モータの回転速度に最適な励磁方式で前記モータを駆動できるようになるため、安定した可変速読み取りが可能となる効果が得られる。
【発明を実施するための最良の形態】
【００１７】
以下、添付図面を参照しながら、本発明を実施するための最良の形態について説明する。
【００１８】
以下、添付図面を参照しながら、本発明を実施するための最良の形態について説明する。
【００１９】
図１に、本発明を実施するための最良の形態に係る画像読取装置１を含むシステム構成について示す。
【００２０】
同図において、画像読取装置１は、ＰＳＴＮ２００を介してＰＳＴＮ２００上のファクシミリ装置２０１との間で画データの送受信を行うことができる。また、画像読取装置１は、もしＩＳＤＮ３００とのインターフェースを備えればＩＳＤＮ３００上のファクシミリ装置３０１との間での画データの送受信も可能である（本発明を実施するための最良の形態では備えていない）。また、画像読取装置１は、ＬＡＮ１００に接続され、パケット変換を行うルータ装置１０２を介してインターネット４００に接続され、インターネット４００上のパーソナルコンピュータ４０２との間で電子メールによる画像データの送受信や、インターネット４００上のネットワークファクシミリ装置４０１との電子メールやＩＴＵ−Ｔ勧告Ｔ．３８などに基づくリアルタイムネットワークファクシミリ通信による画データの送受信を行うことができる。また、画像読取装置１は、ＬＡＮ１００上のパーソナルコンピュータ（ＰＣ）１０１ａ、１０１ｂ、１０１ｃ等との間で画像データのやりとりを行うことができる。
【００２１】
つまり、画像読取装置１は、公衆回線を介した通常のファクシミリ装置、ネットワークファクシミリ装置、ＰＣ１０１ａ等にとってのスキャナ装置、ＰＣ１０１ａ等にとってのプリンタ装置、単独の複写機等としての機能を複合的に備えたものである。
【００２２】
図２に、画像読取装置１のブロック構成について示す。
【００２３】
同図において、ＣＰＵ２は、ＲＡＭ４を作業領域として使用しつつ、ＲＯＭ３に書き込まれた制御プログラムに基づいて装置各部を制御したり、各種データ処理をしたり、プロトコル制御を行う中央演算処理装置である。
【００２４】
ＲＯＭ３は、ＣＰＵ２が装置各部を制御するための制御プログラムや、各文字コードに対応するフォントデータなどの制御に必要な各種データが記憶されるリードオンリメモリである。
【００２５】
ＲＡＭ４は、前述したようにＣＰＵ２の作業領域として使用されるランダムアクセスメモリである。
【００２６】
ＥＥＰＲＯＭ（電気的に書き換え可能な読み出し専用メモリ）５は、装置動作に必要な各種情報が記憶されると共に、装置の電源がオフされた状態でもその記憶内容を保持するためのメモリであり、バッテリバックアップされたＳＲＡＭ（スタティックＲＡＭ）や磁気ディスク装置への置き換えも可能である。
【００２７】
時計回路６は、現在の日付及び時刻を常に計時しているもので、ＣＰＵ２は、システムバス１４を介して時計回路６を読み出すことで、現在の日時（日付と時刻）を知ることができる。
【００２８】
操作表示部７は、ユーザからの操作入力を受け入れるための各種キーが配設される一方、液晶表示装置等の表示器を備え、ユーザに知らせるべき装置の動作状態や、各種メッセージを表示するものである。
【００２９】
画像読取部８は、原稿を読み取って画像データを得るためのものである。この画像読取部８の構成については、後に詳細に説明する。
【００３０】
画像読取部８における読取光学系の副走査駆動のための動力は、ＣＰＵ２からのシステムバス１６を介した設定に基づいて動作するモータ駆動部１４により駆動されるステッピングモータ１５により供給される。
【００３１】
画像形成部９は、画像データを記録紙に印刷出力するためのものである。
【００３２】
画像処理部１０は、生の画像データの符号化圧縮、及び、符号化された圧縮データの復号伸張の符号化復号化処理や、２値化処理、変倍処理、縮小拡大処理、画像補正処理、画データを構成する各主走査ラインにおける画素順番の並べ替え処理、送信日時や受信日時の文字列情報などの付加情報の付加処理などの、画像読取装置１において扱う画像データに関する各種処理を行う。
【００３３】
ＬＡＮ通信制御部１１は、いわゆるＮＩＣ（Network Interface Card）であり、ＬＡＮ１００に接続され、ＬＡＮプロトコル上でのＣＰＵ２によるＴＣＰ／ＩＰプロトコルのやりとりにより、その上位のプロトコルにより各種情報のやりとりなどを行えるようにするためのものである。
【００３４】
通信制御部１２は、ＮＣＵ部１３を介してＰＳＴＮ２００と接続され、相手側通信端末との通信の制御を行う。その通信制御部１２は、ＮＣＵ部１３を制御し、ＮＣＵ部１３にて検出されたリンギング電圧のパルスの検出や、ＤＴＭＦ信号の検出、トーン信号の検出、送信時の発呼を行う。また、通信制御部１２は、モデムを有しており、相手側通信端末より受信した受信データ（変調されている）を復調したり、逆に、送信時の送信データを変調し送信したりする。具体的には、ＩＴＵ−Ｔ勧告Ｔ．３０に基づくＧ３ファクシミリ制御信号をやりとりするための低速モデム機能能（Ｖ．２１モデム）、及び、主に文書画像データをやりとりするための高速モデム機能である、Ｖ．１７、Ｖ．３３、Ｖ．３４、Ｖ．２９、Ｖ．２７ｔｅｒの各モデム機能を備えている。
【００３５】
ＮＣＵ部１３はＰＳＴＮ２００に接続され、回線の閉結や、呼び出し信号（リンギング）の検出などをおこなう。
【００３６】
システムバス１６は、上記各部がデータをやり取りするためのデータバス・アドレスバス・制御バス、割り込み信号ラインなどにより構成される信号ラインである。
【００３７】
以上の構成で、画像読取装置１は、ファクシミリ装置の送信側として、複写機として、ＰＣ１０１ａ等にとってのスキャナ装置として、原稿を読み取って画像データを得るが、原稿の読み取り・画像データの取得は、前述したように、画像読取形成部９により行われる。
【００３８】
図３に、画像読取装置１の画像読取部８の構成について模式的に示す。
【００３９】
同図において、装置上面に配置されたコンタクトガラス５０上には、コンタクトガラス５０に対して開閉自在に取り付けられた厚板５１が配置されている。厚板５１は、その自重で、コンタクトガラス５０上に分離搬送された読み取り対象となる原稿をコンタクトガラス５０の表面に密着させると共に、排紙のためのベルト駆動の機構を内蔵し、ＡＤＦ５２によりコンタクトガラス５０上に送られた読取対象原稿を排紙する。
【００４０】
ＡＤＦ（自動原稿送り装置）５２は、トレイ５３上に載置された原稿４０群を構成する１または複数枚の原稿を１枚ずつに分離して搬送経路５２ａに沿ってコンタクトガラス５０上に読取対象原稿として搬送する。
【００４１】
コンタクトガラス５０の下方に配置された光源ユニット５４からの光は、コンタクトガラス５０上の読取対象原稿に照射され、その照射された光は、原稿により反射され、その反射光が、ミラー５５ａ、５５ｂ、５５ｃの順に反射されて、縮小光学系を構成するレンズ５６に入射し、ＣＣＤ基板５８上に配置されたイメージセンサとしてのＣＣＤ５７のライン状の受光素子群に結像されて光電変換され、読取対象原稿の画像が１主走査ライン分の読み取られる。
【００４２】
光源ユニット５４、ミラー５５ａ、５５ｂ、及び、５５ｃは、読取光学系として走行体５９上に載置され、その走行体５９は、コンタクトガラス５０の下において、ステッピングモータ１５の回転力を動力として、副走査方向に移動する。その副走査方向の移動により、コンタクトガラス５０上の読取対象原稿に対応する１ページ分の画像データを得ることができる。
【００４３】
なお、トレイ５３の付け根部には原稿検知センサ５２ｂが配設されている。センサ５２ｂは、セットされた原稿群４０により機械的または光学的にＯＮ／ＯＦＦされる公知のものである。
【００４４】
図４に画像読取装置１のＥＥＰＲＯＭ５の記憶内容について示す。
【００４５】
同図において、記憶領域５ａには、読取モード設定フラグＦｒが予め設定・記憶される。フラグＦｒは、値「０」が「通常読取モード」を示し、値「１」が「可変速読取モード」を示している。フラグＦｒの値は、操作表示部７を介した対話操作により、ユーザの所望するところに応じて設定される。それにより、ユーザの望み通りのモードでの原稿読み取りを行うことができる。
【００４６】
記憶領域５ｂには、低速（第１回転速度）読取用モータ駆動データＤ１が予め設定・記憶されている。その場合、励磁方式として低トルクで高速回転には向かないがその分低消費電力の１相励磁が設定される。
【００４７】
記憶領域５ｃには、高速（第２回転速度）読取用モータ駆動データＤ２が予め設定・記憶されている。その場合、励磁方式として電力消費は多くなるが高トルクで高速回転向きの２相励磁が設定される。
【００４８】
そのように、低速読取、高速読取の各速度ての読み取りに最適な励磁方式を設定しているため、脱調などの駆動トラブルのない安定した読み取りが可能となる。
【００４９】
図５に画像読取装置１における読取制御処理手順について示す。
【００５０】
同図において、ＣＰＵ２は、原稿検知センサ５２ｂにより、原稿群（１または複数ページの原稿により構成される）がセットされたことが検知されるまで待ち（判断Ｓ１０１のＮｏのループ）、原稿がセットされると（判断Ｓ１０１のＹｅｓ）、読み取り開始の指示を待つ（判断Ｓ１０２のＮｏのループ）。読み取り開始の指示は、原稿読み取り目的がファクシミリ送信または複写の場合には、操作表示部７の［スタート］キー（図示略）が押下されることにより行われ、原稿読み取り目的が「スキャナ読み取り」の場合には、ＰＣ１０１ａなどの情報処理端末からのＬＡＮ１００を介した読み取り開始指示、または、操作表示部７の［スタート］キーの押下による指示により行われる。
【００５１】
判断Ｓ１０２において読み取り開始の指示があると（判断Ｓ１０２のＹｅｓ）、先ず、図４の記憶領域５ａのフラグＦｒとして設定・記憶されている値を確認し（判断Ｓ１０３）、値「１」ではなく値「０」の場合には（判断Ｓ１０３のＮｏ）、モータ駆動部１４に図４の記憶領域５ｂのデータＤ１を設定した上で（処理Ｓ１１０）、原稿群読取処理を行い（処理Ｓ１１１）、判断Ｓ１０１に戻る。
【００５２】
処理Ｓ１１１における原稿群読取処理は、トレイ５３にセットされた原稿群４０をＡＤＦ５２により１枚ずつ分離給送してコンタクトガラス上に載置し、走行体５９をステッピングモータ１５の回転力を動力として副走査駆動して１ページ分の画像データを読み取る処理を、原稿群４０を構成する原稿のページ数回繰り返し行う処理である。
【００５３】
その場合、読み取り（副走査駆動）は、ユーザが望んだ設定通り、全ページの原稿について「低速」で行われる。つまり、ステッピングモータ１５による消費電力の低減を最優先した設定での読み取りが行われる。
【００５４】
判断Ｓ１０３において、フラグＦｒが値「１」の場合には（判断Ｓ１０３のＹｅｓ）、第１枚目の原稿の読み取り開始に先立って、
モータ駆動部１４に図４の記憶領域５ｂのデータＤ１を設定した上で（処理Ｓ１０４）、原稿１枚読取処理を行う（処理Ｓ１０５）。
【００５５】
処理Ｓ１０５における原稿１枚読取処理は、トレイ５３にセットされた原稿群４０をＡＤＦ５２により１枚だけ分離給送してコンタクトガラス上に読取対象原稿として載置し、走行体５９をステッピングモータ１５の回転力を動力として副走査駆動して１ページ分の画像データを読み取る処理である。
【００５６】
その場合、第１枚目の原稿についての読み取り（副走査駆動）は、「低速」で行われる。つまり、つまり、原稿群４０としてセットされた原稿が１枚だけの場合には、ステッピングモータ１５による消費電力の低減を優先した設定での読み取りが行われる。その場合読み取り完了に要する時間は「高速」の場合と比較して長くなるが、１枚だけの読み取りであるため、ユーザに対してる待ち時間が長いと感じさせる程ではなく、消費電力低減効果と、読取完了待ち時間短縮効果とのバランスを考えた場合、１枚だけの読み取りの場合には消費電力低減効果のほうが優先されるべきであるといえる。
【００５７】
処理Ｓ１０５の原稿１枚読取処理の後は、未読取原稿があるか、つまり、原稿検知センサ５２ｂにより、「原稿あり」が検知されているかを判断し（判断Ｓ１０６）、ない場合には（判断Ｓ１０６のＮｏ）、判断Ｓ１０１にもどる。
【００５８】
判断Ｓ１０６において、ある場合、つまり、セットされた原稿群４０が複数枚の原稿により構成される場合には（判断Ｓ１０６のＹｅｓ）、第２枚目以降の原稿の読み取り開始に先立って、モータ駆動部１４に図４の記憶領域５ｃのデータＤ２を設定した上で（処理Ｓ１０７）、原稿１枚読取処理を行う（処理Ｓ１０５）。
【００５９】
処理Ｓ１０８における原稿１枚読取処理は、トレイ５３にセットされた原稿群４０をＡＤＦ５２により１枚だけ分離給送してコンタクトガラス上に載置し、走行体５９をステッピングモータ１５の回転力を動力として副走査駆動して１ページ分の画像データを読み取る処理である。
【００６０】
その場合、第２枚目以降の原稿についての読み取り（副走査駆動）は、「高速」で行われる。つまり、つまり、原稿群４０としてセットされた原稿が２枚以上、つまり、複数枚の場合には、２枚目以降に原稿については、読み取り完了待ち時間の短縮を優先した設定での読み取りが行われる。その場合ステッピングモータ１５による消費電力はは「低速」の場合と比較して多くなるが、セットされた原稿群４０が２枚以上で多数枚である可能性もかなり有り得る状況では、消費電力低減効果と、読取完了待ち時間短縮効果とのバランスを考えた場合、読取完了待ち時間短縮効果のほうが優先されるべきであるといえる。
【００６１】
処理Ｓ１０８の原稿１枚読取処理の後は、未読取原稿があるか、つまり、原稿検知センサ５２ｂにより、「原稿あり」が検知されているかを判断し（判断Ｓ１０９）、ない場合には（判断Ｓ１０９のＮｏ）、判断Ｓ１０１にもどる。
【００６２】
判断Ｓ１０９において、ある場合には（判断Ｓ１０９のＹｅｓ）、処理Ｓ１０８を繰り返し行う。
【００６３】
このように、セットされた原稿群４０が１枚の原稿により構成されている場合には、低速読み取りによりステッピングモータ１５における消費電力低減が優先され、セットされた原稿群４０が読み取りの過程で、複数枚の原稿により構成されているとわかった場合には、２枚目以降の原稿については、高速読み取りによる読取完了待ち時間短縮が優先されるため、原稿画像を低速で読み取ることによる消費電力低減効果と、原稿画像を高速で読み取ることによる読取完了待ち時間短縮効果とをバランスよく両立することが可能となる。
【００６４】
図６に画像読取装置１における読取制御処理手順の別例について示す。
【００６５】
同図において、ＣＰＵ２は、原稿検知センサ５２ｂにより、原稿群（１または複数ページの原稿により構成される）がセットされたことが検知されるまで待ち（判断Ｓ２０１のＮｏのループ）、原稿がセットされると（判断Ｓ２０１のＹｅｓ）、読み取り開始の指示を待つ（判断Ｓ２０２のＮｏのループ）。読み取り開始の指示は、原稿読み取り目的がファクシミリ送信または複写の場合には、操作表示部７の［スタート］キー（図示略）が押下されることにより行われ、原稿読み取り目的が「スキャナ読み取り」の場合には、ＰＣ１０１ａなどの情報処理端末からのＬＡＮ１００を介した読み取り開始指示、または、操作表示部７の［スタート］キーの押下による指示により行われる。
【００６６】
判断Ｓ２０２において読み取り開始の指示があると（判断Ｓ２０２のＹｅｓ）、先ず、図４の記憶領域５ａのフラグＦｒとして設定・記憶されている値を確認し（判断Ｓ２０３）、値「１」ではなく値「０」の場合には（判断Ｓ２０３のＮｏ）、モータ駆動部１４に図４の記憶領域５ｂのデータＤ１を設定した上で（処理Ｓ２１０）、原稿群読取処理を行い（処理Ｓ２１１）、判断Ｓ２０１に戻る。
【００６７】
処理Ｓ２１１における原稿群読取処理は、トレイ５３にセットされた原稿群４０をＡＤＦ５２により１枚ずつ分離給送してコンタクトガラス上に載置し、走行体５９をステッピングモータ１５の回転力を動力として副走査駆動して１ページ分の画像データを読み取る処理を、原稿群４０を構成する原稿のページ数回繰り返し行う処理である。
【００６８】
その場合、読み取り（副走査駆動）は、ユーザが望んだ設定通り、全ページの原稿について「低速」で行われる。つまり、ステッピングモータ１５による消費電力の低減を最優先した設定での読み取りが行われる。
【００６９】
判断Ｓ２０３において、フラグＦｒが値「１」の場合には（判断Ｓ２０３のＹｅｓ）、
セットされた原稿群４０の読み取り開始に先立って、原稿枚数検知処理を行う（処理Ｓ２０４）。
【００７０】
その原稿枚数検知処理は、セットされた原稿群４０を構成する原稿枚数が１枚または複数枚（２枚以上）のいずれであるかを検知する処理である。具体的には、第１枚目の原稿わＡＤＦ５２により分離給送してコンタクトガラス５０上に載置した状態（まだ読み取り（副走査駆動）は開始されていない）で、原稿センサ５２ｂにより「原稿あり」が検出された場合には「複数枚」と判定でき「原稿なし」が検出された場合には「１枚」と判定できる。また、トレイ５３の付け根と反対側のトレイ５３の後端部にセンサ５２ｂと同様の原稿検知センサを配置して、第１枚目を分離して数センチ搬送した状態でのその後端の検知センサにより「原稿あり」が検出された場合には「複数枚」と判定でき「原稿なし」が検出された場合には「１枚」と判定できるようにする検知形態を考えられる。また、原稿群４０の厚さを検出して、原稿１枚の厚さの何倍かによって枚数を検出することも考えられる。
【００７１】
そのようにして、原稿枚数を検知した結果、複数枚の場合には（判断Ｓ２０５のＹｅｓ）、モータ駆動部１４に図４の記憶領域５ｂのデータＤ２を設定した上で（処理Ｓ２０６）、処理Ｓ２０８に移行し、複数枚ではなく１枚の場合には（判断Ｓ２０５のＮｏ）、モータ駆動部１４に図４の記憶領域５ｂのデータＤ１を設定した上で（処理Ｓ２０７）、処理Ｓ２０８に移行する。
【００７２】
処理Ｓ２０８では、原稿群読取処理を行い、処理が完了すると判断Ｓ２０１に戻る。
その原稿群読取処理は、トレイ５３にセットされた原稿群４０をＡＤＦ５２により１枚ずつ分離給送してコンタクトガラス上に載置し、走行体５９をステッピングモータ１５の回転力を動力として副走査駆動して１ページ分の画像データを読み取る処理を、原稿群４０を構成する原稿のページ数回繰り返し行う処理である。
【００７３】
その場合、セットされた原稿群を構成する原稿枚数が１枚の場合は、当該１枚の原稿についての読み取り（副走査駆動）は、「低速」で行われる。つまり、つまり、原稿群４０としてセットされた原稿が１枚だけの場合には、ステッピングモータ１５による消費電力の低減を優先した設定での読み取りが行われる。その場合読み取り完了に要する時間は「高速」の場合と比較して長くなるが、１枚だけの読み取りであるため、ユーザに対して待ち時間が長いと感じさせる程ではなく、消費電力低減効果と、読取完了待ち時間短縮効果とのバランスを考えた場合、１枚だけの読み取りの場合には消費電力低減効果のほうが優先されるべきであるといえる。
【００７４】
一方、セットされた原稿群を構成する原稿枚数が複数枚の場合は、それらの原稿についての読み取り（副走査駆動）は、（図５の手順とは違って）第１枚目の原稿から「高速」で行われる。つまり、つまり、原稿群４０としてセットされた原稿が２枚以上、つまり、複数枚の場合には、２枚目以降のみならず第１枚目の原稿についても、読み取り完了待ち時間の短縮を優先した設定での読み取りが行われる。その場合ステッピングモータ１５による消費電力はは「低速」の場合と比較して多くなるが、セットされた原稿群４０が２枚以上で多数枚である可能性もかなり有り得る状況では、消費電力低減効果と、読取完了待ち時間短縮効果とのバランスを考えた場合、読取完了待ち時間短縮効果のほうが優先されるべきであるといえる。
【００７５】
このように、セットされた原稿群４０が１枚の原稿により構成されている場合には、低速読み取りによりステッピングモータ１５における消費電力低減が優先され、セットされた原稿群４０が複数枚の原稿により構成されている場合には、２枚目以降のみならず第１枚目の原稿についても、高速読み取りによる読取完了待ち時間短縮が優先されるため、原稿画像を低速で読み取ることによる消費電力低減効果と、原稿画像を高速で読み取ることによる読取完了待ち時間短縮効果とをいっそうバランスよく両立することが可能となる。
【００７６】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００７７】
【図１】本発明を実施するための最良の形態に係る画像読取装置を含むシステム構成について示す。
【図２】本発明を実施するための最良の形態に係る画像読取装置のブロック構成について示す。
【図３】本発明を実施するための最良の形態に係る画像読取装置の画像読取部の構成について模式的に示す。
【図４】本発明を実施するための最良の形態に係る画像読取装置のＥＥＰＲＯＭの記憶内容について示す。
【図５】本発明を実施するための最良の形態に係る画像読取装置における読取制御処理手順について示すフローチャートである。
【図６】本発明を実施するための最良の形態に係る画像読取装置における読取制御処理手順の別例について示す。
【符号の説明】
【００７８】
１  画像読取装置
２  ＣＰＵ
８  画像読取部
１４  モータ駆動部
１５  ステッピングモータ
【図１】
2006304033.tif 000003
【図２】
2006304033.tif 000004
【図３】
2006304033.tif 000005
【図４】
2006304033.tif 000006
【図５】
2006304033.tif 000007
【図６】
2006304033.tif 000008